(57)【要約】【課題】自動車や自転車のヘッドライト、街灯等の光源が無くとも、夜間等の暗闇において杖使用者の存在を確実に認知させることができる上、耐久性に優れた杖用石突を提供する。【解決手段】本発明は、杖本体２の先端に設けられる杖用石突を対象とする。この石突は、杖本体２の前端に嵌着され、かつ弾性を有する石突本体２０と、石突本体２０の外周面に嵌着されるリング状の弾性発光体５０とを備える。弾性発光体５０は、基材としてのゴム材料に蓄光顔料が配合されたゴム組成物の成形品をもって構成されて、夜間等の暗闇において、自発的に発光するよう構成されている。【選択図】      図１
2004290560.tif 000002
【特許請求の範囲】
【請求項１】
杖本体の先端に設けられる杖用石突であって、
前記杖本体の前端に嵌着され、かつ弾性を有する石突本体と、
前記石突本体の外周面に設けられ、かつ暗視可能な弾性発光体とを備える杖用石突。
【請求項２】
前記弾性発光体は、基材としてのゴム材料に蓄光顔料が配合されたゴム組成物の成形品をもって構成されてなる請求項１記載の杖用石突。
【請求項３】
前記弾性発光体が、前記石突本体の下端から所定の間隔をおいて上方に設けられてなる請求項１又は２記載の杖用石突。
【請求項４】
前記弾性発光体が、前記石突本体に着脱自在に取り付けられてなる請求項３記載の杖用石突。
【請求項５】
前記弾性発光体がリング状に形成され、その弾性発光体が自身の弾性力によって前記石突本体の外周に取り付けられてなる請求項１ないし４のいずれかに記載の杖用石突。
【請求項６】
前記石突本体の下端外周に、路面と設置する路面設置体が設けられるとともに、その路面設置体の上端に周方向に沿って係合段部が設けられ、
前記弾性発光体が前記係合段部に係合された状態で前記石突本体に取り付けられてなる請求項５記載の杖用石突。
【請求項７】
前記石突本体の外周に周方向に沿って周溝が形成されるとともに、前記弾性発光体の内周に周方向に沿って突条部が形成され、
前記突条部が前記周溝に嵌合された状態で前記弾性発光体が前記石突本体に取り付けられてなる請求項５又は６記載の杖用石突。
【請求項８】
前記弾性発光体が、前記路面設置体に対し異なる色彩を有している請求項６記載の杖用石突。
【請求項９】
前記弾性発光体は、基材としての１００重量部のゴム材料に、蓄光顔料としてのアルミン酸金属塩が３〜５０重量部配合されたゴム組成物の成形品をもって構成されてなる請求項１ないし８のいずれかに記載の杖用石突。
【請求項１０】
杖本体の先端に設けられる杖用石突であって、
少なくとも外周面の一部が、暗視可能な弾性発光体をもって構成されてなることを特徴とする杖用石突。
【発明の詳細な説明】
【０００１】
【発明の属する技術分野】
この発明は、高齢者、障害者、傷病者等の歩行用補助具として用いられる片手杖、松葉杖等の杖の先端に設けられる杖用石突に関する。
【０００２】
【従来の技術】
高齢者等の歩行用補助具として用いられるステッキ等の片手杖は、棒状の杖本体と、その杖先に着脱自在に取り付けられる石突とを有している。
【０００３】
杖本体は、例えば木材、アルミニウム合金、カーボンファイバー、グラスファイバー等の剛性の高い材質により構成されている。また石突は、適度な硬度、弾性を有するゴム材等の弾性材料により構成されており、路面や床面に接地された際に、滑り抵抗によって滑り止めを図るとともに、杖先を路面等に突き当てた際に、弾力性によってその衝撃を緩和して、使用者の手首や腕への衝撃による負担を軽減できるよう構成されている。
【０００４】
ところで、杖を使用して歩行している者（杖突歩行者）は、暗所や夜間において認知され難く、車両走行中に運転手と杖突歩行者とが不意に遭遇することがある。
【０００５】
そこで従来において、暗所や夜間でも杖突歩行者の存在を早期に容易に認知できるように、杖先の石突に光反射手段を設ける技術が開示されている。
【０００６】
例えば下記特許文献１は、石突本体の外周に、合成樹脂製の反射筒を被着する技術を開示するものであり、下記特許文献２は、石突本体の外周に形成した凹凸面に、反射塗料を塗布したり、反射シートを取り付ける技術を開示するものである。
【０００７】
このような石突においては、夜間等に、自動車のヘッドライトからの照射光が光反射板により反射されるため、その反射光によって、運転手は杖突歩行者の存在を早期に正確に認知することができる。
【０００８】
【特許文献１】
特開２０００−１６６６２７号（図１）
【０００９】
【特許文献２】
特開２０００−３０８５０８号（図１）
【００１０】
【発明が解決しようとする課題】
しかしながら、上記特許文献１、２に示す従来の石突は、光反射手段を設けて、反射光により存在を認知させるものであるため、反射光を発生させるには光源が必要となる。このため例えばヘッドライトを消灯して自転車を走行していると、反射光が発生しないため、運転手は、杖突歩行者の存在を認知できない場合があった。
【００１１】
また上記従来の石突に取り付けられる合成樹脂製の反射筒、反射塗膜、反射シート等の反射手段は、弾力性を有するものではなく、石突本体に対し、異なる物性を有するものであるため、石突本体との馴染み性が悪く、石突の使用に伴って、反射手段が剥離したり、脱落する等、耐久性に劣るという問題を抱えている。
【００１２】
この発明は、上記従来技術の問題を解消し、ヘッドライトや街灯等の光源が無くとも、夜間等の暗闇において杖使用者の存在を確実に認知させることができる上、耐久性に優れた杖用石突を提供することを目的とする。
【００１３】
【課題を解決するための手段】
上記目的を達成するため、本第１発明は、杖本体の先端に設けられる杖用石突であって、前記杖本体の前端に嵌着され、かつ弾性を有する石突本体と、前記石突本体の外周面に設けられ、かつ暗視可能な弾性発光体とを備えるものを要旨としている。
【００１４】
この発明の杖用石突においては、外周に弾性発光体を設けるものであるため、自動車、自転車のヘッドライトや街灯等の光源が無くとも、弾性発光体が自発的に発光する。このため例えば、ヘッドライトを消灯した状態で近づく自転車の運転手に対しても、杖突歩行者の存在を早期に正確に認知させることができる。
【００１５】
更に本発明における発光体は、石突として必要な物性、つまり弾性を有するものであり、石突本体と同じ物性を有している。このため、弾性発光体は、石突本体に対し、良好な馴染み性や一体性を得ることができ、石突本体からの剥離や脱落等の不具合を有効に防止することができ、耐久性を向上させることができる。
【００１６】
また本発明においては、前記弾性発光体は、基材としてのゴム材料に蓄光顔料が配合されたゴム組成物の成形品をもって構成されてなるものを採用するのが好ましい。
【００１７】
すなわちこの構成を採用する場合には、弾性発光体による発光持続性や耐久性を向上させることができる。
【００１８】
また本発明においては、前記弾性発光体が、前記石突本体の下端から所定の間隔をおいて上方に設けられてなる構成を採用するのが良い。
【００１９】
すなわち長期間の使用により、石突本体の下端が磨り減った際には、弾性発光体の位置を基準に、石突本体の磨り減り量を正確に把握することができ、石突交換時期を正確に判断することができる。
【００２０】
また本発明においては、前記弾性発光体が、前記石突本体に着脱自在に取り付けられてなる構成を採用するのがより好ましい。
【００２１】
すなわちこの構成を採用する場合には、磨耗劣化による石突交換時に、弾性発光体を石突本体から取り外して、石突本体のみを新規のものと交換して、その新規の石突本体に、既存の弾性発光体を取り付けることにより、石突全体を新品同様に未劣化の状態で使用することができる。このように磨耗劣化時には、石突本体のみを交換することにより、弾性発光体を再利用にできて構成部品の有効利用を図ることができる。
【００２２】
更に本発明においては、前記弾性発光体がリング状に形成され、その弾性発光体が自身の弾性力によって前記石突本体の外周に取り付けられてなる構成を採用するのが望ましい。
【００２３】
すなわちこの構成を採用する場合には、弾性発光体を石突本体に十分な取付強度で密着固定することができるため、石突の組立作業を簡単に行える上、弾性発光体の不用意な脱落等を防止でき、より一層耐久性を向上させることができる。
【００２４】
また本発明においては、前記石突本体の下端外周に、路面と設置する路面設置体が設けられるとともに、その路面設置体の上端に周方向に沿って係合段部が設けられ、前記弾性発光体が前記係合段部に係合された状態で前記石突本体に取り付けられてなる構成を採用するのが、より好ましい。
【００２５】
すなわちこの構成を採用する場合には、石突本体への組付時における弾性発光体の位置決めを図ることができ、弾性発光体の組付作業を簡単かつ正確に行うことができる。
【００２６】
更に本発明においては、前記石突本体の外周に周方向に沿って周溝が形成されるとともに、前記弾性発光体の内周に周方向に沿って突条部が形成され、前記突条部が前記周溝に嵌合された状態で前記弾性発光体が前記石突本体に取り付けられてなる構成を採用するのが、より一層好ましい。
【００２７】
すなわちこの構成を採用する場合には、突条部が周溝に密着係合することにより、弾性発光体の抜止めはもちろん、位置ずれも防止することができ、弾性発光体を、より安定した状態に取り付けることができる。
【００２８】
また本発明においては、前記弾性発光体が、前記路面設置体に対し異なる色彩を有している構成を採用するのが、より望ましい。
【００２９】
すなわちこの構成を採用する場合には、弾性発光体を基準に石突本体の磨り減り量を確認する際に、色相の相違に基づいて、磨り減り量を正確に把握することができ、磨耗劣化による石突交換時期を、より適切に判断することができる。
【００３０】
更に本発明において、前記弾性発光体は、基材としての１００重量部のゴム材料に、蓄光顔料としてのアルミン酸金属塩が３〜５０重量部配合されたゴム組成物の成形品をもって構成されてなるものを採用するのが、より一層望ましい。
【００３１】
すなわちこの場合には、弾性発光体として、十分な輝度を得ることができる上、発光時間も十分に持続させることができる。
【００３２】
なお、本発明においては、石突全体を、弾性発光体により構成するようにしても良く、石突の一部を、弾性発光体により構成するようにしても良い。
【００３３】
すなわち本第２発明は、杖本体の先端に設けられる杖用石突であって、少なくとも外周面の一部が、暗視可能な弾性発光体をもって構成されてなるものを要旨としている。
【００３４】
この発明に杖用石突においては、上記と同様、弾性発光体が自発的に発光するものであるため、自動車、自転車のヘッドライトや街灯等の光源が無くとも、杖突歩行者の存在を早期に正確に認知させることができる。
【００３５】
【発明の実施の形態】
図１はこの発明の実施形態である石突（１０）が適用された杖（１）の石突部を示す断面図である。同図に示すように、この杖（１）は、丸棒状の杖本体（２）と、その杖本体（２）の先端に着脱自在に取り付けられる石突（１０）とを備えている。
【００３６】
図１ないし図３に示すように、石突（１０）は、石突本体（２０）と、弾性発光体（５０）とを備えている。
【００３７】
石突本体（２０）は、例えば耐摩耗性に優れたスチレン・ブタジエン共重合系合成ゴム（ＳＢＲ）、エチレン・プロピレンゴム（ＥＰＤＭ）、ニトリルゴム（ＮＢＲ）等の合成ゴムの加硫成形品により構成されている。この成形品は、所定の滑り抵抗及び弾力性を有し、路面接地時における滑り止め及び衝撃緩和が図られるよう構成されている。
【００３８】
この石突本体（２０）の上側内部には、軸心に沿って延び、かつ上端が上方に開放された円形断面の嵌着凹部（２１）が形成され、この凹部（２１）内に杖本体（２）の先端部が嵌合装着されるよう構成されている。更に嵌着凹部（２１）の内周側面には、周方向に連続する弾性抜止め突部（２２）が、軸心方向に所定の間隔おきに一体に形成されている。この抜止め突部（２２）の先端部における内径は、杖本体（２）の外径よりも小さく設定されており、杖本体（２）が凹部（２１）内に装着された際に、抜止め突部（２２）が杖本体（２）の外周面に弾性密着することにより、杖本体（２）の抜止めが確実に図られるよう構成されている。
【００３９】
石突本体（２０）における嵌着凹部（２２）の底面には、リング状の金属板からなる杖先当接金具（２３）が設けられ、杖本体（２）が凹部（２１）内に挿入された際に当接金具（２３）に当接係止することにより、杖本体（２）の位置決めが図られるよう構成されている。なお、当接金具（２２）は、石突本体（２０）の成形時にインサート成形されることにより、凹部底面に一体に取り付けられている。
【００４０】
石突本体（２０）の外周面における下側部には、断面円弧状の周溝（２５）が周方向に連続して形成されている。更に石突本体（２０）は、外周面形状が上方に向かうに従って縮径するような略円錐台形状に形成されており、外周面がテーパ面（２６）として構成されている。
【００４１】
石突本体（２０）の下端外周には、リング状の路面接地体（３０）が一体に形成されている。この路面接地体（３０）は、外径方向及び下方に突出するように形成されており、上面が係合段部（３１）として形成されるとともに、下面が接地面（３２）として形成されている。
【００４２】
更に石突本体（２０）における路面接地体（３０）の内側には、凹部（１１）が形成されており、この凹部（１１）の中央には、下方に突出するように凸部（１２）が一体に形成されている。なお、この凸部（１２）の下端面は、路面接地体（３０）の下端接地面（３２）よりも上方に配置されている。
【００４３】
一方、弾性発光体（５０）は、エチレン・プロピレンゴム（ＥＰＤＭ）、スチレン・ブタジエン共重合系合成ゴム（ＳＢＲ）、ニトリルゴム（ＮＢＲ）等の合成ゴム材料からなる基材に、蓄光顔料が配合されたゴム組成物の加硫成形品をもって構成されている。
【００４４】
ここで、蓄光顔料は、発光時に光源が必要な反射部材や蛍光顔料とは異なり、電灯や昼間の太陽光の光を内部に蓄積し、暗闇において自ら長時間発光する顔料であり、蓄光と発光とを半永久的に繰り返すことができる。
【００４５】
蓄光顔料としては、発光時間が長く、耐久性に優れ、放射性物質を含まないものを用いるのが良い。例えばアルミン酸ストロンチウム、珪素アルミン酸ストロンチウム、アルミン酸カルシウム等のアルミン酸金属塩を主成分とする蓄光顔料を好適に用いることができる。特にこの蓄光顔料は、発光時間や発光輝度に優れており、一晩中、視認できる程度の輝度を有している。
【００４６】
また、蓄光顔料として、例えば硫化亜鉛を主成分とするものがある。しかしながら、この蓄光顔料は、発光時間が短く、化学的安定性や耐水性に劣るため、屋外での使用には不向きで、使用寿命自体も短いものである。従って、本発明においては、この硫化亜鉛を主成分とする蓄光顔料を使用することは、好ましいものではない。なお、硫化亜鉛を主成分とする蓄光顔料は、放射性物質を添加すると長時間発光するものの、放射性物質の添加により環境汚染を招くため、使用禁止とされている。
【００４７】
本実施形態においては、弾性発光体（５０）用のゴム組成物としては、上記の合成ゴム材料１００重量部に対して、アルミン酸ストロンチウム系の蓄光顔料を３〜５０重量部に配合したもの、中でも特に上限値を３０重量部以下に配合したものを用いるのが好ましい。
【００４８】
すなわち蓄光顔料の配合量が少な過ぎるものでは、発光輝度が不足して、暗闇で視認され難くなる。逆に多過ぎるものでは、加硫成形後における成形体の伸び等の物性が低下する恐れがあり、好ましくない。
【００４９】
また弾性発光体（５０）用のゴム組成物には、補強剤として、シリカ、タルク、クレイ、炭酸カルシウム等の白色系フィラーを、要求される物性に応じて適宜配合するのが好ましい。
【００５０】
なおゴム材料のフィラーとして通常使用されているカーボンブラックは、蓄光顔料の輝度を著しく損なって、成形ゴムが黒く着色して発光しなくなるので、本発明における弾性発光体（５０）用のゴム組成物に配合するのは好ましくない。
【００５１】
更に上記のゴム組成物を硫黄によって加硫すると、硫黄に含まれる金属によって蓄光顔料の輝度が損なわれたり、成形ゴムが黄土色に変色してしまう。従って補実施形態においては、上記のゴム組成物に対し、硫黄加硫を行わずに、パーオキサイド系の過酸化物加硫を行うのが好ましい。
【００５２】
本実施形態においては、上記ゴム組成物に対し加硫成形を行って、リング状の弾性発光体（５０）を得るものである。
【００５３】
この弾性発光体（５０）の内周面における上記石突本体（２０）の周溝（２５）に対応する位置には、周方向に沿って連続する突条部（５５）が一体に形成されている。この突条部（５５）は、石突本体（２０）の周溝（２５）に対応して、円弧状の断面を有している。
【００５４】
本実施形態においては、この弾性発光体（５０）を石突本体（２０）に組み付けて、石突（１０）を形成するものである。すなわち弾性発光体（５０）を拡径するように引き延ばしつつ、石突本体（２０）にその上方から外嵌し、弾性発光体（５０）を石突本体（２０）の係合段部（３１）に係合した状態に配置するとともに、突条部（５５）を周溝（２５）に適合状態に配置する。
【００５５】
これにより弾性発光体（５０）は、自身の弾性収縮力によって、石突本体（２０）に密着固定されて、石突（１０）が組み付けられる。この組付状態においては、弾性発光体（５０）は、石突本体（２０）の下端面、つまり路面接地体（３０）の接地面（３２）から上方に所定の間隔をおいて配置されている。
【００５６】
こうして組み立てられた石突（１０）は、その嵌着凹部（２１）内に杖本体（２）の先端部が圧入固定されて、杖（１）が形成されるものである。
【００５７】
この杖（１）においては、石突（１０）の外周の弾性発光体（５０）が、昼間の太陽光や屋内の照明光等から光を蓄積して、夜間等の暗闇において、淡黄緑色、淡青色等の発光色で発光する。このため夜間等の暗闇において、この杖（１）を突きながら歩行した場合、弾性発光体（５０）の発光によって、車両走行中の運転者等の周辺者は、遠く離れた位置で杖突歩行者の存在を正確に認知することができる。従って運転手等は、早い段階で事前に杖突歩行者に適切に応対することができ、杖突歩行者と運転手等の周辺者とが不意に遭遇するような不具合を確実に防止することができる。
【００５８】
しかも本実施形態においては、弾性発光体（５０）を蓄光塗料により発光させるものであるため、ヘッドライトや街灯等の光源が無くとも、発光体（５０）が自発的に発光する。このため例えば、ヘッドライトを消灯した状態で近づく自転車の運転手に対しても、杖突歩行者の存在を早期に正確に認知させることができる。
【００５９】
更に本実施形態においては、弾性発光体（５０）をリング状に形成して、その弾性発光体（５０）を石突（１０）の外周に連続して配置するものであるため、周囲のいずれの方向からも、弾性発光体（５０）から発する光を確実に視認することができ、杖突歩行者の存在を、より一層確実に認知させることができる。
【００６０】
また本実施形態の石突（１０）は、リング状の弾性発光体（５０）を自身の弾性収縮力によって石突本体（２０）に外嵌状態に密着固定するものであるため、弾性発光体（５０）の石突本体（２０）に対する取付強度を十分に確保することができ、弾性発光体（５０）の抜け落ち等の脱落を防止することができ、十分な耐久性を得ることができる。
【００６１】
しかも本実施形態においては、弾性発光体（５０）の内周面に突条部（５５）を形成して、この突条部（５５）を石突本体（２０）の周溝（２５）に収容するものであるため、突条部（５５）が周溝（２５）に密着係合することにより、弾性発光体（５０）の抜止めはもちろん、位置ずれも防止することができ、弾性発光体（５０）を、より安定した状態に取り付けることができる。
【００６２】
更に本実施形態においては、石突本体（２０）の外周係合段部（３１）に、弾性発光体（５０）を係合させるものであるため、その係合によって、弾性発光体（５０）の位置決めを図ることができ、弾性発光体（５０）の組付作業を簡単かつ正確に行うことができる。
【００６３】
また本実施形態においては、弾性発光体（５０）を石突本体（２０）における路面接地体（３０）の上側に取り付けているため、杖（１）を長期間使用するうちに、図５に示すように路面接地体（３０）が磨り減って、弾性発光体（５０）の下側における路面接地体（３０）が消失した際には、その消失によって、石突（１０）が磨耗劣化していることを、正確に認識することができる。このように石突（１０）が磨耗劣化した際の判断を簡単かつ正確に行うことができるので、石突（１０）の交換が遅れたり、交換時期を過誤することがなく、石突（１０）を適切な時期に交換することができる。従って、石突（１０）が常時良好な状態に保持されて、所定の滑り止め効果及び衝撃緩和効果を確実に得ることができ、杖本来の歩行補助性能を十分に発揮することができる。
【００６４】
特に本実施形態において、白色系の弾性発光体（５０）に対し、石突本体（２０）の少なくとも接地体（３０）部分を異なる色相、例えば赤色、青色、黒色等のゴム材料で構成した場合には、接地体（３０）の磨耗状態を色相の相違に基づいて、正確に把握することができるので、磨耗劣化による石突（１０）の交換時期を、より適切に判断することができる。
【００６５】
また本実施形態においては、弾性発光体（５０）を石突本体（２０）に脱着可能に取り付けているため、磨耗劣化による石突交換時に、弾性発光体（５０）を石突本体（２０）から取り外して、石突本体（２０）のみを新規のものと交換して、その新規の石突本体（２０）に、再び既存の弾性発光体（５０）を取り付けることにより、石突（１０）を新品同様に未劣化の状態で使用することができる。このように磨耗劣化時には、石突本体（２０）のみを交換するだけで良く、弾性発光体（５０）を再利用することができ、構成部品の有効利用を図ることができる。特に弾性発光体（５０）は、高価な蓄光顔料が配合されるものであるため、その高価な弾性発光体（５０）を再利用することにより、無駄な浪費を抑制することができる。
【００６６】
なお上記実施形態においては、石突本体（２０）にリング状弾性発光体（５０）を外嵌する場合を例に挙げて説明したが、それだけに限られず、本発明においては、弾性発光体は、石突本体（２０）における外周面の少なくとも一部に設けられてさえいれば良い。
【００６７】
更に上記実施形態においては、石突（１０）を、本体（２０）と発光体（５０）との２部材により構成するようにしているが、それだけに限られず、本発明においては、石突自体を、弾性発光体により構成するようにしても良い。
【００６８】
また、上記実施形態においては、石突本体（２０）及び弾性発光体（５０）として、合成ゴム材料の加硫成形体からなるものを使用しているが、本発明は、それだけに限られず、例えば天然ゴム材料からなるものを使用しても良い。更には、熱可塑性エラストマー、すなわち、常温では加硫ゴムの性質を示すが、高温では可塑化されて通常のプラスチック加工機で成形できる高分子材料を、射出成形等の熱成形によって成形した成形品からなるものを使用しても良い。なお、熱可塑性エラストマーを用いる場合には、耐摩耗性に特に優れたウレタン系の熱可塑性エラストマーを用いるのが良い。
【００６９】
【発明の効果】
以上のように、本発明の杖用石突によれば、外周面に弾性発光体を設けるものであるため、ヘッドライトや街灯等の光源が無くとも、弾性発光体が自発的に発光する。このため例えば、ヘッドライトを消灯した状態で近づく自転車の運転手に対しても、杖突歩行者の存在を早期に正確に認知させることができる。従って運転手等は、早い段階で事前に杖突歩行者に適切に応対することができ、杖突歩行者と運転手等の周辺者とが不意に遭遇するような不具合を確実に防止することができる。更に本発明において、発光体は、石突として必要な物性、つまり弾性を有するものであり、石突本体と同じ物性を有するものであるため、石突本体に対し、良好な馴染み性や一体性を得ることができ、発光体の石突本体からの剥離や脱落等の不具合を有効に防止することができ、耐久性を向上させることができるという効果がある。
【００７０】
また本発明において、弾性発光体を、蓄光顔料が配合されたゴム組成物により構成する場合には、弾性発光体による発光持続性や耐久性を向上させることができるという効果がある。
【００７１】
本発明において、弾性発光体を石突本体の下端から上方に所定の間隔をおいて設ける場合には、長期間の使用により、石突本体の下端が磨り減った際に、弾性発光体の位置を基準にして、石突本体の磨り減り量を正確に把握することができ、石突の交換を適切な時期に行うことができるという利点がある。
【００７２】
更に本発明において、弾性発光体を着脱自在に設ける場合には、磨耗劣化による石突交換時に、弾性発光体を石突本体から取り外して、石突本体のみを新規のものと交換して、その新規の石突本体に、既存の弾性発光体を取り付けることにより、石突全体を新品同様に未劣化の状態で使用することができる。このように磨耗劣化時には、石突本体のみを交換するだけで良く、弾性発光体を再利用することができ、構成部品の有効利用を図ることができるという利点がある。
【００７３】
また本発明において、リング状の弾性発光体を石突本体に外嵌する場合には、弾性発光体を自身の弾性収縮力によって石突本体に十分な取付強度で密着固定することができるため、石突の組立作業を簡単に行える上、弾性発光体の不用意な脱落等を防止でき、より一層耐久性を向上させることができるという利点がある。
【００７４】
更に本発明において、石突本体の外周に係合段部を設けて、その段部に弾性発光体を係合させる場合には、石突本体への組付時における弾性発光体の位置決めを図ることができ、弾性発光体の組付作業を簡単かつ正確に行うことができるという利点がある。
【００７５】
また本発明において、弾性発光体の内周に設けた突条部を、石突本体外周に設けた周溝に収容する場合には、突条部が周溝に密着係合することにより、弾性発光体の抜止めはもちろん、位置ずれも防止することができ、弾性発光体を、より安定した状態に取り付けることができるという利点がある。
【００７６】
更に本発明において、石突本体と弾性発光体とを異なる色相に形成する場合には、弾性発光体を基準に石突本体の磨り減り量を確認する際に、色相の相違に基づいて、磨り減り量を正確に把握することができ、磨耗劣化による石突交換時期を、より適切に判断することができるという利点がある。
【００７７】
また本発明において、弾性発光体を特有の組成物により構成する場合には、弾性発光体として、十分な輝度を得ることができる上、発光時間も十分に持続させることができるという利点がある。
【図面の簡単な説明】
【図１】この発明の実施形態が適用された杖の石突部周辺を示す側面断面図である。
【図２】図１の二点鎖線で囲まれた部分を拡大して示す側面断面図である。
【図３】実施形態の杖用石突を示す斜視図である。
【図４】実施形態の杖用石突を示す図であって、同図（ａ）は石突本体を示す側面断面図、同図（ｂ）は弾性発光体を示す側面断面図である。
【図５】実施形態の杖における石突部周辺を磨耗劣化状態で示す側面断面図である。
【符号の説明】
１…杖
２…杖本体
１０…石突
２０…石突本体
２５…周溝
３０…路面接地体
３１…係合段部
５０…弾性発光体
５５…突条部
【図１】
2004290560.tif 000003
【図２】
2004290560.tif 000004
【図３】
2004290560.tif 000005
【図４】
2004290560.tif 000006
【図５】
2004290560.tif 000007